(57)【要約】      （修正有）【課題】釣竿にルアーを取り付けた状態で、ルアー全体を保護することが出来るルアーホルダーを提供する。【解決手段】開口部を有する袋状のルアーホルダー本体１の長手方向の両端壁部に、竿挿入切欠き部を形成するとともに、ルアーホルダー本体の長手方向において、複数条の係止部５を、開口部の一方開口端片より突設する。また、長手方向において、複数の係止孔を、開口部の他方開口端片に開設し、ルアーホルダー本体にルアー１２を収容し、切欠き孔に竿１０を挿入した状態で、係止部５を係止孔に差込み支持するようにルアーホルダーを構成する。【選択図】図２−４
0003171444.tif 000002
【実用新案登録請求の範囲】
【請求項１】
樋部と、この樋部の短手方向の自由端間に形成した開口部と、この樋部の長手方向の両端部を閉塞するように形成した両端壁部とで構成した袋状のルアーホルダーであって、
前記両端壁部に、竿挿入切欠き部を形成するとともに、前記自由端の一方より他方に向って延設した、複数条の係止部を、前記長手方向において数条形成し、また、前記自由端の他方に、複数の係止孔を、前記長手方向において複数個開設し、前記樋部と壁部にルアーを収容し、かつ前記切欠き孔に前記竿を挿入した状態で、前記係止部を前記係止孔に差込み支持することを特徴としたルアーホルダー。
【請求項２】
請求項１に記載のルアーホルダーであって、
前記係止部には複数個のロック片を形成し、このロック片を、前記係止孔の外側に、突出支持することを特徴としたルアーホルダー。
【請求項３】
請求項１に記載のルアーホルダーであって、
前記ルアーホルダー本体を、可撓性を有するシリコンゴムで成形することを特徴としたルアーホルダー。
【考案の詳細な説明】
【技術分野】
【０００１】
本考案は、竿に係止した（取付けた）ルアー全体を保護するルアーホルダーに関する。
【背景技術】
【０００２】
従来、この種のルアーホルダーとしては、次のような文献１〜文献３が、望ましい、構造として挙げられる。以下、その概要を説明する。
【０００３】
先ず、文献１は、特開２００１−２０４３０８号公報の「ルアーホルダーおよびその製造方法」である。この発明は、方形状の一枚の布地の一方側に縫着されたルアー保持用の保持具付き固定部と、この布地の巻付け方向の両端に設けた雄雌の面ファスナで構成し、この布地で、竿とルアーを捲装保護する構造である。しかし、この発明は、竿とルアーホルダーとの固定関係が明確でなく、ルアーホルダーが勝手に移動する虞と、保持具にルアーを保持することから、固定具に対して衝撃があった際に、ルアーが損傷する虞があり、改良の余地がある。また、布地では、釣針の鋭利な部分の保護が図れない問題がある。
【０００４】
次に、文献２は、特開２００２−３６０１４１号公報の「釣りロッドの先端部分ルアー取付保護カバー」である。この発明は、釣りロッドの先端に移動したルアーを、プラスチック保護フィルムで捲装被嵌して保護する構造である。この発明も、竿とルアーホルダー及びルアーとの固定関係が明確でなく、前述の文献１と同じ問題を抱えている。また、プラスチック保護フィルムでは、釣針の鋭利な部分の保護が図れない問題がある。
【０００５】
また、文献３は、特開２０００−８３５１３号公報の「ルアー用プロテクター」である。この発明は、二枚貝状のプロテクターと、このプロテクターに設けたフックで構成する。このフックを釣竿のガイド（釣針ガイド）や、手元のリールに引掛け支持するとともに、プロテクターでルアーを横臥して収容する構造である。この発明は、プロテクターは、硬質合成樹脂材料で成形したものであり、可撓性を採用しないことから、優しく抱持するには、問題がある。また、竿に傷を付ける虞がある。尚、樹脂素材では、釣針の鋭利な部分の保護が図れない問題がある。また、同様な発明として、文献４の、特開２００１−１１２３９３号公報の「ルアーケース」がある。
【０００６】
【特許文献１】特開２００１−２０４３０８号公報
【特許文献２】特開２００２−３６０１４１号公報
【特許文献３】特開２０００−８３５１３号公報
【特許文献４】特開２００１−１１２３９３号公報
【考案の概要】
【考案が解決しようとする課題】
【０００７】
以上の如く、文献１〜文献４は、ルアーを、捲装又は収容して保護することは可能である。しかし、ルアーと竿を同時に保護し、かつルアーを、緩衝的に（優しく、弾性を持って）保護するには、問題を抱えている。
【０００８】
上記に鑑み、本考案は、下記の意図を達成する。
イ）  袋状のルアーホルダー本体を、竿に係止するとともに、ルアーを収容可能としたこと、及び袋状のルアーホルダー本体を、係止部と係止孔とにより、緊締する構造としたことで、ルアー及び竿を、確実かつ緩衝的に収容できること、竿よりルアーを取外すことなく、車に搭載できること、移動の際にも、ルアーの針を引掛けたり、ルアー、及び／又は、他のものに傷を付けたりすることなく、スムーズに移動できる。
ロ）  また、ルアー及び竿を、確実かつ緩衝的に収容できることで、釣針の針先の保護と、ルアーの装飾の剥離防止と、擬似餌としての役割を十分に保護すること、等を意図する。
ハ）  係止部に、ロック片を複数個設けることで、ルアーホルダー本体の開口部の絞り具合を調整し、竿からの離脱と、ルアーホルダー本体からのルアーの離脱回避を図ること、等を意図する。
ニ）  シリコンゴムを採用することで、製品の耐久性と、釣針の鋭利な部分の保護が図れる。
【課題を解決するための手段】
【０００９】
請求項１の考案は、前記イ）と、ロ）を達成することを意図する。
【００１０】
請求項１は、樋部と、この樋部の短手方向の自由端間に形成した開口部と、この樋部の長手方向の両端部を閉塞するように形成した両端壁部とで構成した袋状のルアーホルダーであって、
前記両端壁部に、竿挿入切欠き部を形成するとともに、前記自由端の一方より他方に向って延設した、複数条の係止部を、前記長手方向において数条形成し、また、前記自由端の他方に、複数の係止孔を、前記長手方向において複数個開設し、前記樋部と壁部にルアーを収容し、かつ前記切欠き孔に前記竿を挿入した状態で、前記係止部を前記係止孔に差込み支持することを特徴としたルアーホルダーである。
【００１１】
請求項２の考案は、前記ハ）を達成することを意図する。
【００１２】
請求項２は、請求項１に記載のルアーホルダーであって、
前記係止部には複数個のロック片を形成し、このロック片を、前記係止孔の外側に、突出支持することを特徴としたルアーホルダーである。
【００１３】
請求項３の考案は、前記ニ）を達成することを意図する。
【００１４】
請求項３は、請求項１に記載のルアーホルダーであって、
前記ルアーホルダー本体を、可撓性を有するシリコンゴムで成形することを特徴としたルアーホルダーである。
【考案の効果】
【００１５】
請求項１の考案は、樋部と、樋部の短手方向の自由端間に形成した開口部と、樋部の長手方向の両端部を閉塞するように形成した両端壁部とで構成した袋状のルアーホルダーであって、
両端壁部に、竿挿入切欠き部を形成するとともに、自由端の一方より他方に向って延設した、複数条の係止部を、長手方向において数条形成し、また、自由端の他方に、複数の係止孔を、長手方向において複数個開設し、樋部と壁部にルアーを収容し、かつ切欠き孔に竿を挿入した状態で、係止部を前記係止孔に差込み支持することを特徴としたルアーホルダーである。
【００１６】
従って、請求項１は下記の特徴がある。
イ）  袋状のルアーホルダー本体を、竿に係止するとともに、ルアーを収容可能としたこと、及び袋状のルアーホルダー本体を、係止部と係止孔とにより、緊締する構造としたことで、ルアー及び竿を、確実かつ緩衝的に収容できること、竿よりルアーを取外すことなく、車に搭載できること、移動の際にも、ルアーの針を引掛けたり、ルアー、及び／又は、他のものに傷を付けたりすることなく、スムーズに移動できる。
ロ）  また、ルアー及び竿を、確実かつ緩衝的に収容できることで、釣針の針先の保護と、ルアーの装飾の剥離防止と、擬似餌としての役割を十分に保護できる。
【００１７】
請求項２の考案は、請求項１に記載のルアーホルダーであって、
係止部には複数個のロック片を形成し、ロック片を、係止孔の外側に、突出支持することを特徴としたルアーホルダーである。
【００１８】
従って、請求項２は下記の特徴がある。
ハ）  係止部に、ロック片を複数個設けることで、ルアーホルダー本体の開口部の絞り具合を調整し、竿からの離脱と、ルアーホルダー本体からのルアーの離脱回避が図れる。
【００１９】
請求項３の考案は、請求項１に記載のルアーホルダーであって、
ルアーホルダー本体を、可撓性を有するシリコンゴムで成形することを特徴としたルアーホルダーである。
【００２０】
従って、請求項３は下記の特徴がある。
ニ）  シリコンゴムを採用することで、製品の耐久性と、釣針の鋭利な部分の保護が図れる。
【図面の簡単な説明】
【００２１】
【図１−１】ルアーホルダーの開放状態の斜視図
【図１−２】ルアーホルダーの一本の係止部を、一個の係止孔に差込んだ斜視図
【図１−３】ルアーホルダーの全ての係止部を、全ての係止孔に差込み支持し、このルアーホルダーを緊締した状態の斜視図
【図２−１】延べ竿において、釣糸ガイド（手元のリールも含む）に、ルアーの釣針を係止した状態の側面模式図
【図２−２】延べ竿において、釣糸ガイドに、係止したルアーを、本発明のルアーホルダーで包囲した状態の側面模式図
【図２−３】延べ竿において、釣糸ガイドに、係止したルアーを、本発明のルアーホルダーで包囲した状態から、一本の係止部を、一個の係止孔に差込んだ状態の側面模式図
【図２−４】延べ竿において、釣糸ガイドに、係止したルアーを、本発明のルアーホルダーで包囲した状態から、全ての係止部を、全ての係止孔に差込み、この包囲状態を確保した側面模式図
【図３−１】継ぎ竿において、釣糸ガイド（手元のリールも含む）に、ルアーの釣針を係止した状態の側面模式図
【図３−２】継ぎ竿において、釣糸ガイドに、係止したルアーを、本発明のルアーホルダーで包囲した状態の側面模式図
【図３−３】継ぎ竿において、釣糸ガイドに、係止したルアーを、本発明のルアーホルダーで包囲した状態から、一本の係止部を、一個の係止孔に差込んだ状態の側面模式図
【図３−４】継ぎ竿において、釣糸ガイドに、係止したルアーを、本発明のルアーホルダーで包囲した状態から、全ての係止部を、全ての係止孔に差込み、この包囲状態を確保した側面模式図
【考案を実施するための形態】
【００２２】
１は、シリコンゴムで成形された袋状のルアーホルダーで、このルアーホルダー１は、一枚のシートを折り曲げ形成した、深めの樋部１００とし、この樋部１００の短手方向１ａの自由端１０１、１０２間で、かつその長手方向１ｂには、開口部２を形成する。そして、この樋部１００の長手方向１ｂの両端部１０３、１０４には、壁面３、３（複数の例では、符号は一つとする）を形成し、この樋部１００の両端部１０３、１０４を閉塞する。これによって、前記の袋状のルアーホルダー１が形成される。
【００２３】
そして、ルアーホルダー１の樋部１００（開口部２）の自由端１０１の一方には、前記長手方向１ｂに向って、シリコンゴムで成形された複数本の紐状の係止部５、５等（５とする）が突設されている。この係止部５には、一条〜数条の紐の周辺に突設したロック片６（環状突条）を、間隔をおいて多段に設ける。また、樋部１００（開口部２）の自由端１０２の他方（の内側１０２ａ）には、前記長手方向Ａに向って、複数個の係止孔７、７等（７とする）が開設されている。尚、前記ロック片６は、係止孔６より径大に構成するが、このロック片６と、係止孔７は、素材の特性から、それぞれが撓み、係止孔７が一時的に、拡開するとともに、このロック片６が一時的に、圧縮されて通過し、その後、復元することで、ロック片６が、係止孔７にロックされる構造である。
【００２４】
このルアーホルダー１の樋部１００の長手方向１ｂの両端部に設けた壁部３には、竿１０が挿入される切欠き部１１を、それぞれ形成する。そして、この切欠き部１１は、左右とも同じ位置に設ける。
【００２５】
このルアーホルダー１を利用する方法を、図２−１〜図２−４の一例と、図３−１〜図３−４の他の一例とで説明する。
【００２６】
先ず、図２−１〜図２−４の一例は、図２−１の如く、延べ竿１０のガイド１０００に、ルアー１２の釣針１２００を係止し、この延べ竿１０にルアー１２を固定する（取付ける）。この状態において、ルアーホルダー１を被せるが、切欠き部１１を、延べ竿１０、及び／又は、釣糸１３に被嵌することで、ルアーホルダー１が、延べ竿１０に係止されるとともに、このルアーホルダー１の樋部１００で、ルアー１２を包囲する（図２−２）。続いて、図２−３に示すように、係止部５を延べ竿１０、及び／又は、他の釣糸１３を跨いで、樋部１００の他の自由端１０２に向って進め、この自由端１０２の内側１０２ａに設けた係止孔７に差込み、樋部１００を絞るようにして緊締するとともに、ロック片７を、係止孔７の外側にロックする。この作業で、例えば、一本の係止部５が、係止孔７にロックされる構造である。この係止部５と係止孔７のロック、この例では、三回繰返すことで、図２−４の如く、ルアーホルダー１が延べ竿１０に緊締係止されるとともに、このルアーホルダー１の樋部１００にルアー１２が収容されることで、前記イ）〜ニ）の効果が期待できる。また、係止部５の絞込みで、樋部１００の開口部２の広さの調整と、ルアー１２の脱外防止効果と、又はルアーホルダー１の安定性の良否とかに役立つ特徴がある。図中１５はリールを示す。尚、その取外しは、前述の逆の操作となる。
【００２７】
次に、図３−１〜図３−４の他の一例は、継ぎ竿１０にルアーホルダー１を使用する例であるが、原則として、延べ竿１０と基本的には、変わらないが、その違いは、係止部５が、二本の竿１０を跨ぐことであり、その作業・使用方法、並びに緊締方法は、略同じである。
【符号の説明】
【００２８】
１            ルアーホルダー
１ａ          短手方向
１ｂ          長手方向
１００        樋部
１０１        自由端
１０２        自由端
１０２ａ      内側
１０３        端部
１０４        端部
２            開口部
３            壁部
５            係止部
６            ロック片
７            係止孔
１０          竿
１０００      ガイド
１１          切欠き部
１２          ルアー
１２００      釣針
１３          釣糸
１５          リール
【図１−１】
0003171444.tif 000003
【図１−２】
0003171444.tif 000004
【図１−３】
0003171444.tif 000005
【図２−１】
0003171444.tif 000006
【図２−２】
0003171444.tif 000007
【図２−３】
0003171444.tif 000008
【図２−４】
0003171444.tif 000009
【図３−１】
0003171444.tif 000010
【図３−２】
0003171444.tif 000011
【図３−３】
0003171444.tif 000012
【図３−４】
0003171444.tif 000013
【手続補正書】
【提出日】平成23年7月20日(2011.7.20)
【手続補正１】
【補正対象書類名】実用新案登録請求の範囲
【補正対象項目名】全文
【補正方法】変更
【補正の内容】
【実用新案登録請求の範囲】
【請求項１】
樋部と、この樋部の短手方向の自由端間に形成した開口部と、この樋部の長手方向の両端部を閉塞するように形成した両端壁部とで構成した袋状のルアーホルダーであって、
前記両端壁部に、竿挿入切欠き部を形成するとともに、前記自由端の一方より他方に向って延設した、複数条の係止部を、前記長手方向において数条形成し、また、前記自由端の他方に、複数の係止孔を、前記長手方向において複数個開設し、前記樋部と壁部にルアーを収容し、かつ前記切欠き部に前記竿を挿入した状態で、前記係止部を前記係止孔に差込み支持することを特徴としたルアーホルダー。
【請求項２】
請求項１に記載のルアーホルダーであって、
前記係止部は、紐状とし、この紐状の係止部の周辺に環状突条のロック片を、複数個、突設するとともに、この複数個のロック片を間隔をおいて形成し、このロック片を、前記係止孔を撓ませて貫通させることで、このロック片を、この係止孔に支持することを特徴としたルアーホルダー。
【請求項３】
請求項１に記載のルアーホルダーであって、
前記ルアーホルダー本体を、可撓性を有するシリコンゴムで成形することを特徴としたルアーホルダー。
【手続補正２】
【補正対象書類名】明細書
【補正対象項目名】全文
【補正方法】変更
【補正の内容】
【考案の詳細な説明】
【技術分野】
【０００１】
本考案は、竿に係止した（取付けた）ルアー全体を保護するルアーホルダーに関する。
【背景技術】
【０００２】
従来、この種のルアーホルダーとしては、次のような文献１〜文献３が、望ましい、構造として挙げられる。以下、その概要を説明する。
【０００３】
先ず、文献１は、特開２００１−２０４３０８号公報の「ルアーホルダーおよびその製造方法」である。この発明は、方形状の一枚の布地の一方側に縫着されたルアー保持用の保持具付き固定部と、この布地の巻付け方向の両端に設けた雄雌の面ファスナで構成し、この布地で、竿とルアーを捲装保護する構造である。しかし、この発明は、竿とルアーホルダーとの固定関係が明確でなく、ルアーホルダーが勝手に移動する虞と、保持具にルアーを保持することから、固定具に対して衝撃があった際に、ルアーが損傷する虞があり、改良の余地がある。また、布地では、釣針の鋭利な部分の保護が図れない問題がある。
【０００４】
次に、文献２は、特開２００２−３６０１４１号公報の「釣りロッドの先端部分ルアー取付保護カバー」である。この発明は、釣りロッドの先端に移動したルアーを、プラスチック保護フィルムで捲装被嵌して保護する構造である。この発明も、竿とルアーホルダー及びルアーとの固定関係が明確でなく、前述の文献１と同じ問題を抱えている。また、プラスチック保護フィルムでは、釣針の鋭利な部分の保護が図れない問題がある。
【０００５】
また、文献３は、特開２０００−８３５１３号公報の「ルアー用プロテクター」である。この発明は、二枚貝状のプロテクターと、このプロテクターに設けたフックで構成する。このフックを釣竿のガイド（釣針ガイド）や、手元のリールに引掛け支持するとともに、プロテクターでルアーを横臥して収容する構造である。この発明は、プロテクターは、硬質合成樹脂材料で成形したものであり、可撓性を採用しないことから、優しく抱持するには、問題がある。また、竿に傷を付ける虞がある。尚、樹脂素材では、釣針の鋭利な部分の保護が図れない問題がある。また、同様な発明として、文献４の、特開２００１−１１２３９３号公報の「ルアーケース」がある。
【０００６】
【特許文献１】特開２００１−２０４３０８号公報
【特許文献２】特開２００２−３６０１４１号公報
【特許文献３】特開２０００−８３５１３号公報
【特許文献４】特開２００１−１１２３９３号公報
【考案の概要】
【考案が解決しようとする課題】
【０００７】
以上の如く、文献１〜文献４は、ルアーを、捲装又は収容して保護することは可能である。しかし、ルアーと竿を同時に保護し、かつルアーを、緩衝的に（優しく、弾性を持って）保護するには、問題を抱えている。
【０００８】
上記に鑑み、本考案は、下記の意図を達成する。
イ）  袋状のルアーホルダー本体を、竿に係止するとともに、ルアーを収容可能としたこと、及び袋状のルアーホルダー本体を、係止部と係止孔とにより、緊締する構造としたことで、ルアー及び竿を、確実かつ緩衝的に収容できること、竿よりルアーを取外すことなく、車に搭載できること、移動の際にも、ルアーの針を引掛けたり、ルアー、及び／又は、他のものに傷を付けたりすることなく、スムーズに移動できる。
ロ）  また、ルアー及び竿を、確実かつ緩衝的に収容できることで、釣針の針先の保護と、ルアーの装飾の剥離防止と、擬似餌としての役割を十分に保護すること、等を意図する。
ハ）  係止部に、ロック片を複数個設けることで、ルアーホルダー本体の開口部の絞り具合を調整し、竿からの離脱と、ルアーホルダー本体からのルアーの離脱回避を図ること、等を意図する。
ニ）  シリコンゴムを採用することで、製品の耐久性と、釣針の鋭利な部分の保護が図れる。
【課題を解決するための手段】
【０００９】
請求項１の考案は、前記イ）と、ロ）を達成することを意図する。
【００１０】
請求項１は、樋部と、この樋部の短手方向の自由端間に形成した開口部と、この樋部の長手方向の両端部を閉塞するように形成した両端壁部とで構成した袋状のルアーホルダーであって、
前記両端壁部に、竿挿入切欠き部を形成するとともに、前記自由端の一方より他方に向って延設した、複数条の係止部を、前記長手方向において数条形成し、また、前記自由端の他方に、複数の係止孔を、前記長手方向において複数個開設し、前記樋部と壁部にルアーを収容し、かつ前記切欠き部に前記竿を挿入した状態で、前記係止部を前記係止孔に差込み支持することを特徴としたルアーホルダーである。
【００１１】
請求項２の考案は、前記ハ）を達成することを意図する。
【００１２】
請求項２は、請求項１に記載のルアーホルダーであって、
前記係止部は、紐状とし、この紐状の係止部の周辺に環状突条のロック片を、複数個、突設するとともに、この複数個のロック片を間隔をおいて形成し、このロック片を、前記係止孔を撓ませて貫通させることで、このロック片を、この係止孔に支持することを特徴としたルアーホルダーである。
【００１３】
請求項３の考案は、前記ニ）を達成することを意図する。
【００１４】
請求項３は、請求項１に記載のルアーホルダーであって、
前記ルアーホルダー本体を、可撓性を有するシリコンゴムで成形することを特徴としたルアーホルダーである。
【考案の効果】
【００１５】
請求項１の考案は、樋部と、樋部の短手方向の自由端間に形成した開口部と、樋部の長手方向の両端部を閉塞するように形成した両端壁部とで構成した袋状のルアーホルダーであって、
両端壁部に、竿挿入切欠き部を形成するとともに、自由端の一方より他方に向って延設した、複数条の係止部を、長手方向において数条形成し、また、自由端の他方に、複数の係止孔を、長手方向において複数個開設し、樋部と壁部にルアーを収容し、かつ切欠き部に竿を挿入した状態で、係止部を前記係止孔に差込み支持することを特徴としたルアーホルダーである。
【００１６】
従って、請求項１は下記の特徴がある。
イ）  袋状のルアーホルダー本体を、竿に係止するとともに、ルアーを収容可能としたこと、及び袋状のルアーホルダー本体を、係止部と係止孔とにより、緊締する構造としたことで、ルアー及び竿を、確実かつ緩衝的に収容できること、竿よりルアーを取外すことなく、車に搭載できること、移動の際にも、ルアーの針を引掛けたり、ルアー、及び／又は、他のものに傷を付けたりすることなく、スムーズに移動できる。
ロ）  また、ルアー及び竿を、確実かつ緩衝的に収容できることで、釣針の針先の保護と、ルアーの装飾の剥離防止と、擬似餌としての役割を十分に保護できる。
【００１７】
請求項２の考案は、請求項１に記載のルアーホルダーであって、
係止部は、紐状とし、紐状の係止部の周辺に環状突条のロック片を、複数個、突設するとともに、複数個のロック片を間隔をおいて形成し、ロック片を、係止孔を撓ませて貫通させることで、ロック片を、係止孔に支持することを特徴としたルアーホルダーである。
【００１８】
従って、請求項２は下記の特徴がある。
ハ）  係止部に、ロック片を複数個設けることで、ルアーホルダー本体の開口部の絞り具合を調整し、竿からの離脱と、ルアーホルダー本体からのルアーの離脱回避が図れる。
【００１９】
請求項３の考案は、請求項１に記載のルアーホルダーであって、
ルアーホルダー本体を、可撓性を有するシリコンゴムで成形することを特徴としたルアーホルダーである。
【００２０】
従って、請求項３は下記の特徴がある。
ニ）  シリコンゴムを採用することで、製品の耐久性と、釣針の鋭利な部分の保護が図れる。
【図面の簡単な説明】
【００２１】
【図１−１】ルアーホルダーの開放状態の斜視図
【図１−２】ルアーホルダーの一本の係止部を、一個の係止孔に差込んだ斜視図
【図１−３】ルアーホルダーの全ての係止部を、全ての係止孔に差込み支持し、このルアーホルダーを緊締した状態の斜視図
【図２−１】延べ竿において、釣糸ガイド（手元のリールも含む）に、ルアーの釣針を係止した状態の側面模式図
【図２−２】延べ竿において、釣糸ガイドに、係止したルアーを、本発明のルアーホルダーで包囲した状態の側面模式図
【図２−３】延べ竿において、釣糸ガイドに、係止したルアーを、本発明のルアーホルダーで包囲した状態から、一本の係止部を、一個の係止孔に差込んだ状態の側面模式図
【図２−４】延べ竿において、釣糸ガイドに、係止したルアーを、本発明のルアーホルダーで包囲した状態から、全ての係止部を、全ての係止孔に差込み、この包囲状態を確保した側面模式図
【図３−１】継ぎ竿において、釣糸ガイド（手元のリールも含む）に、ルアーの釣針を係止した状態の側面模式図
【図３−２】継ぎ竿において、釣糸ガイドに、係止したルアーを、本発明のルアーホルダーで包囲した状態の側面模式図
【図３−３】継ぎ竿において、釣糸ガイドに、係止したルアーを、本発明のルアーホルダーで包囲した状態から、一本の係止部を、一個の係止孔に差込んだ状態の側面模式図
【図３−４】継ぎ竿において、釣糸ガイドに、係止したルアーを、本発明のルアーホルダーで包囲した状態から、全ての係止部を、全ての係止孔に差込み、この包囲状態を確保した側面模式図
【考案を実施するための形態】
【００２２】
１は、シリコンゴムで成形された袋状のルアーホルダーで、このルアーホルダー１は、一枚のシートを折り曲げ形成した、深めの樋部１００とし、この樋部１００の短手方向１ａの自由端１０１、１０２間で、かつその長手方向１ｂには、開口部２を形成する。そして、この樋部１００の長手方向１ｂの両端部１０３、１０４には、壁面３、３（複数の例では、符号は一つとする）を形成し、この樋部１００の両端部１０３、１０４を閉塞する。これによって、前記の袋状のルアーホルダー１が形成される。
【００２３】
そして、ルアーホルダー１の樋部１００（開口部２）の自由端１０１の一方には、前記長手方向１ｂに向って、シリコンゴムで成形された複数本の紐状の係止部５、５等（５とする）が突設されている。この係止部５には、一条〜数条の紐の周辺に突設したロック片６（環状突条）を、間隔をおいて多段に設ける。また、樋部１００（開口部２）の自由端１０２の他方（の内側１０２ａ）には、前記長手方向Ａに向って、複数個の係止孔７、７等（７とする）が開設されている。尚、前記ロック片６は、係止孔６より径大に構成するが、このロック片６と、係止孔７は、素材の特性から、それぞれが撓み、係止孔７が一時的に、拡開するとともに、このロック片６が一時的に、圧縮されて通過し、その後、復元することで、ロック片６が、係止孔７にロックされる構造である。
【００２４】
このルアーホルダー１の樋部１００の長手方向１ｂの両端部に設けた壁部３には、竿１０が挿入される切欠き部１１を、それぞれ形成する。そして、この切欠き部１１は、左右とも同じ位置に設ける。
【００２５】
このルアーホルダー１を利用する方法を、図２−１〜図２−４の一例と、図３−１〜図３−４の他の一例とで説明する。
【００２６】
先ず、図２−１〜図２−４の一例は、図２−１の如く、延べ竿１０のガイド１０００に、ルアー１２の釣針１２００を係止し、この延べ竿１０にルアー１２を固定する（取付ける）。この状態において、ルアーホルダー１を被せるが、切欠き部１１を、延べ竿１０、及び／又は、釣糸１３に被嵌することで、ルアーホルダー１が、延べ竿１０に係止されるとともに、このルアーホルダー１の樋部１００で、ルアー１２を包囲する（図２−２）。続いて、図２−３に示すように、係止部５を延べ竿１０、及び／又は、他の釣糸１３を跨いで、樋部１００の他の自由端１０２に向って進め、この自由端１０２の内側１０２ａに設けた係止孔７に差込み、樋部１００を絞るようにして緊締するとともに、ロック片７を、係止孔７の外側にロックする。この作業で、例えば、一本の係止部５が、係止孔７にロックされる構造である。この係止部５と係止孔７のロック、この例では、三回繰返すことで、図２−４の如く、ルアーホルダー１が延べ竿１０に緊締係止されるとともに、このルアーホルダー１の樋部１００にルアー１２が収容されることで、前記イ）〜ニ）の効果が期待できる。また、係止部５の絞込みで、樋部１００の開口部２の広さの調整と、ルアー１２の脱外防止効果と、又はルアーホルダー１の安定性の良否とかに役立つ特徴がある。図中１５はリールを示す。尚、その取外しは、前述の逆の操作となる。
【００２７】
次に、図３−１〜図３−４の他の一例は、継ぎ竿１０にルアーホルダー１を使用する例であるが、原則として、延べ竿１０と基本的には、変わらないが、その違いは、係止部５が、二本の竿１０を跨ぐことであり、その作業・使用方法、並びに緊締方法は、略同じである。
【符号の説明】
【００２８】
１            ルアーホルダー
１ａ          短手方向
１ｂ          長手方向
１００        樋部
１０１        自由端
１０２        自由端
１０２ａ      内側
１０３        端部
１０４        端部
２            開口部
３            壁部
５            係止部
６            ロック片
７            係止孔
１０          竿
１０００      ガイド
１１          切欠き部
１２          ルアー
１２００      釣針
１３          釣糸
１５          リール